【事件の表示】
　特願２０１０−１９７９６８号「遊技機」拒絶査定不服審判事件〔平成２４年３月１５日出願公開、特開２０１２−５０７８６号〕について、次のとおり審決する。
【結　論】
　本件審判の請求は、成り立たない。
【理　由】
第１　手続の経緯の概要
　本願は、平成２２年９月３日の特許出願であって、平成２６年２月２７日付けで拒絶の理由が通知され、同年４月１５日に意見書及び手続補正書が提出されたところ、同年６月１９日付けで拒絶査定がなされ（発送日：同年６月２３日）、それに対し、同年９月１６日に拒絶査定不服審判の請求がなされると同時に手続補正書が提出されたものである。
　
第２　平成２６年９月１６日付けの手続補正についての補正却下の決定
［補正却下の決定の結論］
　平成２６年９月１６日付けの手続補正（以下「本件補正」という。）を却下する。
　
［理由］
　１　補正の内容
　本件補正は、特許請求の範囲を補正するものであり、本件補正により、特許請求の範囲の請求項１は、平成２６年４月１５日に提出された手続補正書における
「第１表示画面を有する第１画像表示器と、
　透過型の第２表示画面を有する第２画像表示器と、
　前記第２画像表示器を移動させる駆動手段と、
　前記第１表示画面に表示された画像の少なくとも一部をマスクするマスク画像を前記第２表示画面に表示させる表示制御手段と、
　前記第２表示画面の位置を検出する検出手段と、
　前記検出手段によって検出された前記第２表示画面の位置が所定の位置であるか否かを判定する位置判定手段とを備え、
　前記駆動手段は、前記第１表示画面に特定の演出が表示された場合に、前記所定の位置に前記第２表示画面が位置するように前記第２画像表示器を移動させ、
　前記表示制御手段は、前記所定の位置に前記第２表示画面が位置する期間の少なくとも一部の期間に、前記マスク画像を前記第２表示画面に表示させる、遊技機。」
から、審判請求時に提出された手続補正書における
「第１表示画面を有する第１画像表示器と、
　透過型の第２表示画面を有する第２画像表示器と、
　前記第２画像表示器を移動させる駆動手段と、
　前記第１表示画面に表示された画像の少なくとも一部をマスク
し所定の情報を表示
　前記第２表示画面の位置を検出する検出手段と、
　前記検出手段によって検出された前記第２表示画面の位置が所定の位置であるか否かを判定する位置判定手段とを備え、
　前記駆動手段は、前記第１表示画面に特定の演出が表示された場合に、前記所定の位置に前記第２表示画面が位置するように前記第２画像表示器を移動させ、
　前記表示制御手段は、前記所定の位置に前記第２表示画面が位置する期間の少なくとも一部の期間に、前記マスク画像を前記第２表示画面に表示させる、遊技機。」
に補正された（下線は、補正箇所を明示するために審決にて付した。）。
　
　上記補正は、補正前の請求項１に記載した発明を特定するために必要な事項であるマスク画像に関して、「
所定の情報を表示
　
　そして、本件補正は新規事項を追加するものではない。
　
　そこで、本件補正後の特許請求の範囲の請求項１に記載された発明（以下「本願補正発明」という。）が特許出願の際独立して特許を受けることができるものであるか（特許法第１７条の２第６項において準用する同法第１２６条第７項の規定に適合するか）について以下に検討する。
　
　２　独立特許要件について
　（１）刊行物に記載された発明
　原査定の拒絶理由において提示された、本願の出願前に頒布された刊行物である特開２００５−３１２５１５号公報（以下「刊行物」という。）には、図面と共に次の事項が記載されている（下線は審決にて付した。以下同じ。）。
　ア　「【特許請求の範囲】
【請求項１】
　所定の遊技領域に遊技球が入球すると、特別遊技に移行するか否かの判定を行い、該判定結果に基づいて画像表示装置の画像を変動表示して上記判定結果を遊技者に報知せしめる弾球遊技機において、
　上記画像表示装置を、遊技盤に固定された主表示装置と、該主表示装置の近接位置に設けられ、かつ駆動手段により上記主表示装置の周辺および主表示装置の表示部前方を移動可能に設置された副表示装置とで構成し、
　上記主表示装置の表示画像を制御せしめる主表示制御手段と、上記
副表示装置の表示画像を制御せしめる副表示制御手段と
駆動手段による副表示装置の移動を制御する移動制御手段
　上記主表示装置および副表示装置とで上記判定結果を報知せしめるようになした
弾球遊技機
【請求項２】
　上記駆動手段は、上記主表示装置の上縁に沿って横方向に設けられた第１の駆動装置と、上記第１の駆動装置と連結されて縦方向に設けられた第２の駆動装置とを備え、上記第１の駆動装置により上記副表示装置を上記主表示装置の上縁に沿って左右方向に移動可能とし、上記第２の駆動装置により上記副表示装置を上記主表示装置の上方位置と上記主表示装置の表示部前方位置との間を上下方向に移動可能となす請求項１に記載の弾球遊技機。
【請求項３】
　上記副表示装置には、有機エレクトロミネッセンス（ＥＬ）表示器を用いた請求項１または２に記載の弾球遊技機。」
　
　イ　「【技術分野】
【０００１】
　本発明は弾球遊技機、特に所定の遊技領域に遊技球が入球すると、特別遊技に移行するか否かの判定を行い、該判定結果に基づいて画像表示装置の画像を変動表示して上記判定結果を遊技者に報知せしめる弾球遊技機に関する。」
　
　ウ　「【０００５】
　また従来、下記特許文献に記載されたように、遊技盤の中央に設置された表示装置とは別体の表示装置をガラス枠の周縁部に沿って設置し、上記遊技盤の表示装置と、上記ガラス枠の表示装置とで同時に上記リーチ予告や大当り予告を表示演出するようにしたものが提案されている。ガラス枠の表示装置は、薄形の有機ＥＬ表示器が用いられ、前後２枚のガラス板からなる２重構造のガラス枠の両ガラス板間に上記表示器が設置され、表示器で遊技盤の遊技領域を囲むように設けれている。これによれば、リーチ予告や大当り予告の演出時に、ガラス枠の表示装置にキャラクタを表示せしめ、これをガラス枠の周縁部に沿って移動させるといった派手な表示演出ができるが、一般に、遊技者の関心は上記遊技盤の表示装置に集中するので、遊技盤の表示装置から離れているガラス枠の表示装置が目に入ると遊技者を疲れさせ、遊技に集中できなくなるという問題があり、あまり実用的とはいえない。
【特許文献１】特開２００２−２２４３４９号公報  （第３−６図）
【発明の開示】
【発明が解決しようとする課題】
【０００６】
　そこで本発明は、多彩な表示演出が可能で、遊技者を遊技に集中させて飽きさせることのない興趣の豊かな弾球遊技機を提供することを課題としてなされたものである。」
　
　エ　「【００１７】
　上皿１２１の左側の膨出部の上面には、後述の副表示装置の移動制御または副表示装置の画像表示制御を操作可能とする操作スイッチたる押しボタンスイッチ１３５が設けられている。」
　
　オ　「【００２５】
　特別画像表示装置６４は、図２ないし図４に示すように、
液晶（ＬＣ）表示器からなる主表示装置６４１と
有機エレクトロミネッセンス（以下、有機ＥＬという）表示器からなる副表示装置６５１とを備えている
副表示装置６５１は非表示時に表示部６５２が透明となるものを使用しており
【００２６】
　画像表示枠２４の開口部２４１はその縦寸法が、主表示装置６４１のそれよりも上方へ大きく形成してあり、主表示装置６４１の上方位置に副表示装置６５１を表示可能なスペースが設けてある。
【００２７】
　
副表示装７６５１は第１の駆動装置５１および第２の駆動装置５２により左右方向および上下方向に移動可能に設置されている
　
　カ　「【００４８】
　次に、図７ないし図１４に基づいて本発明の主表示装置６４１と副表示装置６５１とを用いたリーチ予告、リーチアクションや大当り予告等の表示演出のいくつかの事例を説明する。通常、
副表示装置６５１は上記待機位置にあり、遊技者から見えないようにしておく
　
　キ　「【００５３】
　副表示装置６５１にはキャラクタ等に限らず、特別図柄Ｄ１，Ｄ２，Ｄ３を擬似的に表示してもよい。例えば図１１（Ａ）（Ｂ）に示すように、
リーチとなった時に、副表示装置６５１を主表示装置６４１の前方位置に移動させ、副表示装置６５１に特別図柄Ｄ２に代わる疑似図柄Ｄ４を変動表示させる
【００５４】
　また、図１２（Ａ）（Ｂ）（Ｃ）に示すように、キャラクタＣ８により停止表示された副表示装置６５１の疑似図柄Ｄ４がハズレであっても、副表示装置６５１が主表示装置６４１の前方位置から退出したあとに、実際の特別図柄Ｄ２が現れ大当りとするようにしてもよい。このように
副表示装置６５１を主表示装置６４１の表示領域の一部を隠蔽する隠蔽手段として利用する
　
　ク　「【００５９】
　副表示装置６５１を主表示装置６４１の上部および表示部の前方位置を上下左右方向に移動可能に設けたので、例えば副表示装置６５１にキャラクタを表示させた状態で副表示装置６５１を移動させることで画像表示だけでは演出できないリアルな演出ができる。また副表示装置６５１に非表示時に表示部が透明な有機ＥＬ表示器を用いたので、表示状態で副表示装置６５１を主表示装置６４１の表示部の前方位置へ移動させて主表示装置６４１の表示の一部を隠したり、この位置で副表示装置６５１を非表示状態として主表示装置６４１の表示の一部を再び遊技者に見せる斬新な表示演出が可能となる。」
　
　ケ　「【００６２】
　また本実施形態では、主制御装置６１からの指令を中継してこれを特別画像表示装置６４へ送る
サブ統合基板６６で、位置検出スイッチ７５２からの副表示装置６５１の位置検出信号や押しボタン１３５の入力信号を受信し
電動モーター５１４，５２３を制御して副表示装置６５１を移動させる
【００６３】
　尚、
位置検出スイッチ７５２は、副表示装置６５１が上記待機位置にあるか否かを検出するもの
一旦、副表示装置６５１を待機位置に戻してから主制御装置６１の指令に従って副表示装置６５１を移動させる。これにより確実な副表示装置６５１の移動制御ができる
【００６４】
　図１５は、本発明を適用した弾球遊技機の他の電気的な接続構造を示すブロック図で、基本構造は先の実施形態の構造とほぼ同じで、相違点を中心に説明し、図において同一部材を同一符号で表し、それらの説明を省略する。本接続構造は、特別画像表示装置６４の画像制御基板６４ａに、副表示装置６５１の位置を検出する位置検出スイッチ７５２の信号入力部と、上記押しボタンスイッチ１３５の信号入力部、第１および第２の電動モーター５１４，５２３の駆動出力部を設け、画像制御基板６４ａにより、主表示装置６４１および副表示装置６５１の表示制御と、副表示装置６５１の移動制御とを実行させるようにしたものである。これによれば、関連性の高い両表示装置６４１，６５１の表示演出と副表示装置６５１の移動とをずれなくスムーズに制御させることができる。」
　
　コ　上記ア及びオの記載から、
移動制御手段は、第１の駆動装置５１および第２の駆動装置５２による副表示装置の移動を制御する
　
　サ　上記ア及びキの記載から、
副表示制御手段は、副表示装置６５１に特別図柄Ｄ２に代わる疑似図柄Ｄ４を変動表示させる
　シ　上記ア〜ケの記載事項、及び、上記コ〜サの認定事項を総合すると、刊行物には、次の発明が記載されていると認められる（以下、「刊行物発明」という。）。
「液晶（ＬＣ）表示器からなる主表示装置６４１と、
　非表示時に透明となる、有機エレクトロミネッセンス（有機ＥＬ）表示器を用いた表示部６５２からなる副表示装置６５１と、
　副表示装置６５１を左右方向および上下方向に移動可能に設置されている第１の駆動装置５１および第２の駆動装置５２による副表示装置の移動を制御する移動制御手段と、
　リーチとなった時に、移動制御手段によりリーチとなった時に副表示装置６５１を主表示装置６４１の前方位置に移動させ、副表示装置６５１に特別図柄Ｄ２に代わる疑似図柄Ｄ４を変動表示させる副表示制御手段と、
　副表示装置６５１が遊技者から見えない待機位置にあるか否かを検出する位置検出スイッチ７５２と、
　位置検出スイッチ７５２からの副表示装置６５１の位置検出信号や押しボタン１３５の入力信号を受信し、電動モーター５１４，５２３を制御して副表示装置６５１を移動させるサブ統合基板６６と
　を備え、
　副表示装置６５１を主表示装置６４１の表示領域の一部を隠蔽する隠蔽手段として利用できる
　弾球遊技機。」
　
　（２）対比
　本願補正発明と刊行物発明とを対比する。
　ア　刊行物発明における「液晶（ＬＣ）表示器からなる主表示装置６４１」は、液晶（ＬＣ）表示器が液晶（ＬＣ）表示画面を有することは明らかであるから、本願補正発明における「第１表示画面を有する第１画像表示器」に相当する。
　
　イ　刊行物発明における「非表示時に透明となる、有機エレクトロミネッセンス（有機ＥＬ）表示器を用いた表示部６５２からなる副表示装置６５１」と、本願補正発明における「透過型の第２表示画面を有する第２画像表示器」とを対比する。
　
　刊行物発明における「非表示時に透明となる」ことは、本願補正発明の「透過型」であることに相当する。
　そして、刊行物発明における「有機エレクトロミネッセンス（有機ＥＬ）表示器」が、有機ＥＬ表示画面を有することは明らかである。
　
　したがって、刊行物発明における「副表示装置６５１」は、本願補正発明における「第２画像表示器」に相当する。
　
　ウ　刊行物発明における「副表示装置６５１を左右方向および上下方向に移動可能に設置されている第１の駆動装置５１および第２の駆動装置５２による副表示装置の移動を制御する移動制御手段」は、「副表示装置６５１」を駆動装置５１、５２を駆動させることにより「移動」させるものであるから、本願補正発明における「第２画像表示器を移動させる駆動手段」に相当する。
　
　エ　刊行物発明における「移動制御手段により」「副表示装置６５１を主表示装置６４１の前方位置に移動させ、副表示装置６５１に特別図柄Ｄ２に代わる疑似図柄Ｄ４を変動表示させる副表示制御手段」と本願補正発明における「第１表示画面に表示された画像の少なくとも一部をマスクし所定の情報を表示するマスク画像を第２表示画面に表示させる表示制御手段」とを対比する。
　
　まず、刊行物発明における「副表示装置６５１」は、「主表示装置６４１の表示領域の
一部を隠蔽する
　一方、本願補正発明における「マスク」に関して、発明の詳細な説明に、「本実施形態において、マスク画像は、一例として、多数の隙間によって少し液晶画面５０が認識できるものとした（図４参照）。つまり、本実施形態において、マスク画像は、液晶画面５０を不完全に隠すものとした。しかし、マスク画像は、例えば、全体的に薄く透けていることによって、
液晶画面５０を
隠すもの
液晶画面５０の画像を
隠すもの
液晶画面５０の画像を隠す
　そして、刊行物発明における「移動制御手段により」「副表示装置６５１を主表示装置６４１の前方位置に移動させ」ることは、「主表示装置６４１の表示領域の一部を隠蔽する」ことであり、「一部を隠蔽する」とは、「少なくとも一部を隠蔽する」ことに含まれる概念である。
　したがって、刊行物発明における「移動制御手段により」「副表示装置６５１を主表示装置６４１の前方位置に移動させ」ることは、本願補正発明における「第１表示画面に表示された画像の少なくとも一部をマスク」することに相当する。
　また、刊行物発明における「特別図柄Ｄ２に代わる疑似図柄Ｄ４」は、「疑似図柄Ｄ４」が図柄情報であることから、本願補正発明における「所定の情報」に相当する。
　また、刊行物発明における「特別図柄Ｄ２に代わる疑似図柄Ｄ４」は、副表示装置６５１が主表示装置６４１の前方位置に移動されることにより、主表示装置６４１の表示領域の一部を隠蔽する際に、副表示装置６５１に表示される画像であるから、本願補正発明における「マスク画像」に相当する。
　さらに、刊行物発明における「変動表示させる」ことは、本願補正発明における「表示させる」ことに相当する。
　
　ゆえに、刊行物発明における「副表示制御手段」は、本願補正発明における「表示制御手段」に相当する。
　
　オ　刊行物発明における「副表示装置６５１が遊技者から見えない待機位置にあるか否かを検出する位置検出スイッチ７５２」と、本願補正発明における「第２表示画面の位置を検出する検出手段」とを対比する。
　
　まず、本願補正発明により特定される「第２表示画面の位置」が意味するところについて検討する。
　本願補正発明によると、「第２表示画面の位置」に関して、次のことが特定されている。まず、「第２表示画面の位置」は、位置判定手段により「所定の位置」であるか否かについて判定されるものである。そして、「所定の位置」に関して、第１表示画面に特定の演出が表示された場合に、駆動手段により移動される第２表示画面の位置であり、その位置に第２表示画面が位置する期間の少なくとも一部の期間に、マスク画像を第２表示画面に表示させる位置である。
　これらのことからみて、本願補正発明において、「検出手段」により検出される「第２表示画面の位置」とは、駆動手段により移動される第２表示画面に関して、移動前の初期位置から、移動後のマスク画像を表示させる位置までの範囲におけるいずれかの位置を意味するものと解される。
　これに対して、刊行物発明において、「位置検出スイッチ７５２」により検出される副表示装置６５１の位置は、移動制御手段により移動を制御される範囲における特定の「待機位置」である。
　ここで、刊行物発明の「待機位置」は、副表示装置６５１が移動される前に待機する初期位置であることから、本願補正発明の「初期位置」に相当する。
　
　したがって、刊行物発明の「位置検出スイッチ７５２」と、本願補正発明の「検出手段」とは、少なくとも、「第２表示画面の初期位置を検出可能である検出手段」である点で共通する。
  
　カ　刊行物発明における「位置検出スイッチ７５２からの副表示装置６５１の位置検出信号や押しボタン１３５の入力信号を受信し副表示装置６５１を移動させるサブ統合基板６６」と、本願補正発明における「検出手段によって検出された第２表示画面の位置が所定の位置であるか否かを判定する位置判定手段」とを対比する。
　
　刊行物発明において、「サブ統合基板６６」は、位置検出スイッチ７５２からの副表示装置６５１の位置検出信号を入力し、電動モーター５１４，５２３を制御して、副表示装置６５１を移動させるものであることから、位置検出スイッチ７５２からの副表示装置６５１の位置検出信号が待機位置を示すものであるのか否かを判断する機能を有するものである。
　そして、本願補正発明において、「検出手段」により検出される「第２表示画面の位置」に、第２表示画面の初期位置が含まれることは、上記オにおいて検討したとおりである。
　
　したがって、刊行物発明における「サブ統合基板６６」と、本願補正発明における「位置判定手段」とは、「検出手段によって検出された第２表示画面の位置が初期位置であるか否かを判定可能である位置判定手段」である点で共通する。
　
　キ　刊行物発明における「リーチとなった時に、移動制御手段によりリーチとなった時に副表示装置６５１を主表示装置６４１の前方位置に移動させ」ることと、本願補正発明における「駆動手段は、第１表示画面に特定の演出が表示された場合に、所定の位置に第２表示画面が位置するように第２画像表示器を移動させ」ることとを対比する。
　
　上記ウにおいて検討したように、刊行物発明における「移動制御手段」は、本願補正発明における「駆動手段」に相当する。
　そして、刊行物発明における「リーチとなった時」は、本願補正発明における「第１表示画面に特定の演出が表示された場合」に相当する。
　また、刊行物発明における「副表示装置６５１を主表示装置６４１の前方位置に移動させ」ることは、本願補正発明における「所定の位置に第２表示画面が位置する」ことに相当する。
　
　したがって、刊行物発明における「リーチとなった時に、移動制御手段により副表示装置６５１を主表示装置６４１の前方位置に移動させ」ることは、本願補正発明における「駆動手段は、第１表示画面に特定の演出が表示された場合に、所定の位置に第２表示画面が位置するように第２画像表示器を移動させ」ることに相当する。
　
　ク　刊行物発明における「副表示制御手段」は、「副表示装置６５１に特別図柄Ｄ２に代わる疑似図柄Ｄ４を変動表示させ」ることと、本願補正発明における「表示制御手段は、所定の位置に第２表示画面が位置する期間の少なくとも一部の期間に、マスク画像を第２表示画面に表示させ」ることとを対比する。
　
　まず、上記エにおいて検討したように、刊行物発明における「副表示制御手段」、「特別図柄Ｄ２に代わる疑似図柄Ｄ４」は、それぞれ、本願補正発明における「表示制御手段」、「マスク画像」に相当する。
　次に、刊行物発明において、「副表示装置６５１に特別図柄Ｄ２に代わる疑似図柄Ｄ４を変動表示さ」せる期間について検討する。
　刊行物発明において、リーチとなった時に、副表示装置６５１が主表示装置６４１の前方位置に移動され、図柄が変動表示されるが、擬似図柄Ｄ４を変動表示可能とする期間は、変動表示期間のうちの一部の期間である。
　ここでいう、「変動表示期間のうちの一部の期間」は、「変動表示期間のうちの少なくとも一部の期間」に含まれる概念である。
　
　したがって、刊行物発明における「副表示制御手段は、表示画像として特別図柄Ｄ２に代わる疑似図柄Ｄ４を副表示装置６５１に変動表示させ」ることは、本願補正発明における「表示制御手段は、所定の位置に第２表示画面が位置する期間の少なくとも一部の期間に、マスク画像を第２表示画面に表示させ」ることに相当する。
　
　ケ　上記ア〜クより、本願補正発明と刊行物発明とは、
「第１表示画面を有する第１画像表示器と、
　透過型の第２表示画面を有する第２画像表示器と、
　前記第２画像表示器を移動させる駆動手段と、
　前記第１表示画面に表示された画像の少なくとも一部をマスクし所定の情報を表示するマスク画像を前記第２表示画面に表示させる表示制御手段と、
　前記第２表示画面の初期位置を検出可能である検出手段と、
　前記検出手段によって検出された前記第２表示画面の位置が初期位置であるか否かを判定可能である位置判定手段とを備え、
　前記駆動手段は、前記第１表示画面に特定の演出が表示された場合に、所定の位置に前記第２表示画面が位置するように前記第２画像表示器を移動させ、
　前記表示制御手段は、前記所定の位置に前記第２表示画面が位置する期間の少なくとも一部の期間に、前記マスク画像を前記第２表示画面に表示させる、遊技機。」
　の点で一致し、以下の点で相違する。
　
［相違点１］
　検出手段により検出される第２表示画面の位置に関して、
　本願補正発明では、第２表示画面の駆動手段により移動される範囲における任意の位置であるのに対して、
　刊行物発明では、副表示装置６５１の待機位置である点。
　
［相違点２］
　位置判定手段に関して、
　本願補正発明では、検出手段により検出される第２表示画面の位置が所定の位置であるか否かを判定するのに対して、
　刊行物発明では、位置検出スイッチ７５２により検出される副表示装置６５１の位置が待機位置であるか否かを判定する点。　
　
［相違点３］
　駆動手段により移動される第２表示画面の位置、及び、第２表示画面が位置する期間の少なくとも一部の期間に、マスク画像を第２表示画面に表示させる位置に関して、
　本願補正発明では、位置判定手段が判定する所定の位置であるのに対して、刊行物発明では、そのように特定されていない点。
　
　（３）当審の判断
　　　ア　上記相違点１〜３について検討する。
　相違点１〜３は互いに関連しているので、これらを併せて検討する。
　刊行物発明は、リーチとなった時に、移動制御手段により副表示装置６５１を主表示装置６４１の前方位置に移動させ（本願発明の「駆動手段は、」「所定の位置に第２表示画面が位置するように第２画像表示器を移動させ」ことに相当する。）、その移動された位置において、副表示装置６５１に擬似図柄Ｄ４（本願発明の「マスク画像」に相当する。）を変動表示させるものである。
　そして、この移動制御は、一旦、副表示装置６５１を待機位置に戻してから主制御装置６１の指令に従って副表示装置６５１を移動制御させる（上記３　ケを参照。）ものである。
　そして、刊行物発明は、移動制御により確実な副表示装置６５１の移動制御を行う（上記３　ケを参照。）ことができるものである。
　
　ところで、遊技機の技術分野において、被対象物を確実に移動制御するに際して、検出手段及び位置判定手段により検出及び判定される被対象物の位置を、駆動手段により移動される範囲における任意の位置とし、駆動手段により移動される範囲において、被対象物を所定の位置（目的とする位置）まで移動させて、その所定の位置（目的とする位置）かどうか判定することは、本願出願前に周知の技術事項である（例えば、特開２００７−１３０２１３号公報には、「【００５３】開閉レンズ５１１は、水平の回動軸を有する扇状の回動支持部５１３の円周部に沿って、当該回動軸を中心とする一定の曲率半径を有して上下方向に湾曲するレンズ面を有している。これにより、
開閉レンズ５１１は、
円筒面上において回動する
位置検出装置は
光センサ群５１６により構成され、可動体であるインデックス片５１３ａを検知対象物としてその位置を検出している
検知信号に基づいて開閉レンズ５１１の回動位置を検出しながらその開閉動作をフィードバック制御する
本位置検出装置がインデックス片５１３ａの位置を検出して、これを指標に開閉レンズ５１１の回動位置を特定している
開閉レンズ５１１の位置を高精度で検出しフィードバックすることで、その回動制御を安定して行うことができる
検知対象物の位置検出範囲に応じて適宜に定められる一般化したＮ個の検知素子
を用いて
検知対象物の位置を特定し検出することができる
位置検出部72は、液晶表示板20ｂの左右の移動方向に沿った平板状に形成されており、その両端部には端部検出孔73が穿設されている
端部検出孔73の間には、位置検出のための識別孔が所定の間隔で多数設けられている
液晶表示板20ｂは、スライドシャフト70に沿って左右方向に移動するようになる
液晶表示板20ｂが左右方向に移動して位置検出部72が移動すると、識別孔が発光素子78と受光素子79との間を通過するようになり
液晶表示板20ｂがどれだけ左右方向に変位したかを検出することができる
制御データに基づいてモータの駆動制御が行われ、液晶表示板20ｂの移動制御が行われ、その制御処理結果は
位置検出データでフィードバックされる
　さらに、広く被対象物の位置制御を行う技術分野において、検出手段及び位置判定手段により検出及び判定される被対象物の位置を、駆動手段により移動される範囲における任意の位置とし、駆動手段により移動される範囲において、被対象物をその所定の位置（目的とする位置）まで移動させて、所定の位置（目的とする位置）かどうか判定することは、従来から慣用的に行われていた技術事項でもある。
　
　したがって、刊行物発明において、確実に副表示装置６５１の移動制御を行うために、上記周知の技術事項に倣って、あるいは、上記慣用手段に倣って、検出手段及び位置判定手段により検出及び判定される副表示装置６５１の位置を、初期位置を含む駆動手段により駆動される範囲における任意の位置とし、駆動手段により移動される範囲において、副表示装置６５１を所定の位置（目的とする位置）まで移動させ、その所定の位置（目的とする位置）かどうか判定し、その所定の位置で副表示装置６５１に擬似図柄Ｄ４を表示させることにより、上記相違点１〜３に係る本願補正発明の構成とすることは当業者が容易になし得たものである。
　また、本願補正発明により奏される効果は、当業者が、刊行物発明及び周知の技術事項から予測し得る効果の範囲内のものであって、格別のものではない。
　
　　　イ　請求人の主張について
　請求人は、平成２６年９月１６日付けの審判請求書において、「本発明では、第１表示画面に表示された画像の少なくとも一部をマスクする
マスク画像に、所定の情報（例えば、文字情報など）が表示
　しかしながら、刊行物発明における「表示画像」、「特別図柄Ｄ２に代わる疑似図柄Ｄ４」、及び、「主表示装置６４１の表示領域の一部を隠蔽する」ことが、本願補正発明における「マスク画像」、「所定の情報」、及び、「第１表示画面に表示された画像の少なくとも一部をマスク」することに相当することは、前記「４対比　エ」において検討したとおりであるから、刊行物発明は、本願発明における「所定の情報を表示するマスク画像を第２表示画面に表示させる」特定事項を具備するものである。
　したがって、請求人の上記主張は採用できない。
　
　　　ウ　小括
　上記ア〜イにおいて検討したように、本願補正発明は、当業者が刊行物発明及び周知の技術事項に基づいて容易に発明をすることができたものであるから、特許法第２９条第２項の規定により、特許出願の際独立して特許を受けることができない。
　よって、本願補正は、特許法第１７条の２第６項において準用する同法第１２６条第７項の規定に違反するので、同法第１５９条第１項において読み替えて準用する同法第５３条第１項の規定により却下すべきものである。
　
第３　本願発明について
　１　本願発明
　本件補正は上記のとおり却下されたので、本願の請求項１に係る発明（以下「本願発明」という。）は、平成２６年４月１５日付け手続補正書により補正された特許請求の範囲の請求項１に記載された次のとおりのものである。
「第１表示画面を有する第１画像表示器と、
　透過型の第２表示画面を有する第２画像表示器と、
　前記第２画像表示器を移動させる駆動手段と、
　前記第１表示画面に表示された画像の少なくとも一部をマスクするマスク画像を前記第２表示画面に表示させる表示制御手段と、
　前記第２表示画面の位置を検出する検出手段と、
　前記検出手段によって検出された前記第２表示画面の位置が所定の位置であるか否かを判定する位置判定手段とを備え、
　前記駆動手段は、前記第１表示画面に特定の演出が表示された場合に、前記所定の位置に前記第２表示画面が位置するように前記第２画像表示器を移動させ、
　前記表示制御手段は、前記所定の位置に前記第２表示画面が位置する期間の少なくとも一部の期間に、前記マスク画像を前記第２表示画面に表示させる、遊技機。」
　
　２　刊行物
　刊行物及びその記載事項、刊行物発明は、前記「第２［理由］　２」に記載したとおりである。
　
　３　対比
　本願発明は、上記「第２　１補正の内容」において検討した本願補正発明から、マスク画像に関して、「
所定の情報を表示
　ここで、刊行物発明と本願発明とを対比する。
　両者は、前記「第２［理由］　２（２）対比」において検討したと同様にして、
［相違点１］
　検出手段により検出される第２表示画面の位置に関して、
　本願発明では、第２表示画面の駆動手段により移動される範囲における任意の位置であるのに対して、
　刊行物発明では、副表示装置６５１の待機位置である点。
　
［相違点２］
　位置判定手段に関して、
　本願発明では、検出手段により検出される第２表示画面の位置が所定の位置であるか否かを判定するのに対して、
　刊行物発明では、位置検出スイッチ７５２により検出される副表示装置６５１の位置が待機位置であるか否かを判定する点。　
　
［相違点３］
　駆動手段により移動される第２表示画面の位置、及び、第２表示画面が位置する期間の少なくとも一部の期間に、マスク画像を第２表示画面に表示させる位置に関して、
　本願発明では、位置判定手段が判定する所定の位置であるのに対して、　刊行物発明では、そのように特定されていない点。
　で相違し、その余の点で一致する。
　
　４　判断
　上記相違点１〜３については、前記「第２［理由］　２（３）当審の判断」において検討したとおりである。
　したがって、本願発明は、当業者が刊行物発明及び周知の技術事項に基づいて容易になし得たものである。
　
　５　むすび
　以上のとおりであるから、本願発明は、特許法第２９条第２項の規定により特許を受けることができない。
　したがって、本願は、拒絶されるべきものである。
　
　よって、結論のとおり審決する。